(57)【要約】      （修正有）【課題】昇温機能付きの小型入浴槽において、ポンプを使用せず、対流を利用して温水を循環させる構造の導入により、施工が小規模で比較的安価となる設備を提供する。【解決手段】入浴槽１に入った入浴水が昇温用の機器２によって昇温されたとき、昇温された入浴水は機器の内部で上昇する。昇温用の機器２の上部にある入浴槽１との接続口から、昇温された入浴水は入浴槽へ流出する。このとき、入浴槽の内部にあった比較的温度の低い入浴水が、入浴槽の底面へ向かって移動し、底面へぶつかったところでそのまま、入浴槽の側面へ向かって移動する。入浴槽の側面下部と昇温用の機器下部との間にも接続用の配管が設けられており、そこへ移動した入浴水は、接続口から昇温用の機器の内部へ移動する。これを繰り返すことで、入浴水は昇温される。【選択図】図１
0003148470.tif 000002
【実用新案登録請求の範囲】
【請求項１】
入浴水を昇温させる機能と一体となったユニット式浴槽であって、入浴水を入浴槽と入浴水を温める装置の間を循環させる特別な装置を持たず、専ら入浴水の温度差による対流を利用して循環させる浴槽
【請求項２】
入浴水を昇温させる装置が熱交換器である、請求項１の浴槽
【請求項３】
入浴水を昇温させる装置がヒーターである、請求項１の浴槽
【請求項４】
入浴水を昇温させる機能と一体となったユニット式プールであって、入浴水を入浴槽と入浴水を温める装置の間を循環させる特別な装置を持たず、専ら入浴水の温度差による対流を利用して循環させるプール
【請求項５】
入浴水を昇温させる装置が熱交換器である、請求項４のプール
【請求項６】
入浴水を昇温させる装置がヒーターである、請求項４のプール
【考案の詳細な説明】
【技術分野】
【０００１】  本考案は、入浴用の浴槽、プールの構造に関する。
【背景技術】
【０００２】  浴槽は、入浴槽の他に入浴水を昇温させる機能を持つ。こうした入浴設備は、従来は機械室と呼ばれる別室に循環用のポンプや昇温用の機器を設置していた。しかし、濾過など昇温以外の機能を持たせない場合でも、設備の規模に見合わない大きな工事が必要となる。
【考案の開示】
【考案が解決しようとする課題】
【０００３】  そこで本考案は、小規模で循環量が少なくて済む昇温機能付き入浴槽の場合に、施工が小規模で比較的安価な設備を提供するものである。
【課題を解決するための手段】
【０００４】  昇温機能のみの場合機器が少数で済み占有領域も比較的狭い為、本考案では、ユニット式の浴槽と昇温用の機器を一体として製造する。昇温用の機器としてヒーター又は熱交換器を用いる。ヒーター仕様の場合、入浴槽とヒーターを接続した状態で、熱交換器仕様の場合入浴槽と熱交換器を接続し昇温用の湯を熱交換器に出し入れする為の配管と電動弁を取り付けた状態で製品とする。【０００５】  通常、循環式の浴槽は、ポンプを用いて入浴水を循環させる。本考案の場合は循環させる距離が短いためと高低差が大きくないため、ポンプを使用せず、入浴水の温度差による対流を利用して循環させる。昇温用の機器によって温められた入浴水は、入浴槽の上部へ向かって流れる。入浴槽内で比較的温度の低い入浴水は、入浴槽の底面へ向かって流れた後、底面付近を側面へ向かって流れる。そこに昇温用の機器の入口を設ければ、温度の低い入浴水は昇温用の機器へ流入して昇温され、また入浴槽の上部から入浴槽へ流出する。これを繰り返して循環することで、入浴水が昇温される。ポンプを使用しない分、コストも抑えられる。【０００６】  工事現場へ設置後の施工は、ヒーター仕様の場合ヒーターと制御盤を電源線で繋ぐ。熱交換器の場合、電動弁と制御盤の結線と、昇温用の湯の配管の接続を行う。安全性確保と施設の意匠を損なわないようにするため、昇温用の機器の周辺は建物の躯体の中に入れるかカバーを付ける。
【考案の効果】
【０００７】  本考案を利用すると、施工が容易で必要面積が少ない昇温機能付ユニット式浴槽を、比較的安価に提供できる。
【考案を実施するための最良の形態】
【０００８】  以下、図面とともに説明する。図１は、本考案を用いた場合の入浴水の流れを示したものである。【０００９】  符号１の入浴槽に入った入浴水が符号２の昇温用の機器によって昇温されたとき、昇温された入浴水は機器の内部で上昇する。符号２の昇温用の機器上部にある、符号１の入浴槽との接続口から、昇温された入浴水は符号１の入浴槽へ流出する。このとき、入浴槽の内部にあった比較的温度の低い入浴水が、符号１の入浴槽の底面へ向かって移動し、底面へぶつかったところでそのまま、符号１の入浴槽の側面へ向かって移動する。符号１の入浴槽の側面下部と符号２の昇温用の機器下部との間にも接続用の配管が設けられており、そこへ移動した入浴水は、接続口から符号２の昇温用の機器の内部へ移動する。これを繰り返すことで、入浴水は昇温される。符号３の二点鎖線矢印は、入浴水の流れを示したものである。
【実施例１】
【００１０】    図２は、符号２の昇温用の機器がヒーターである場合の平面図である。また、図３は  、図２の実施例の矢視図Ａである。図２では、符号１の入浴槽が円形であるが、入浴槽  の材質や形状に制限はない。ヒーターの場合電力を用いて昇温するため、図３のように  、符号２ａのヒーターと符号６の制御盤を、符号７の電源線を用いて結線する。
【実施例２】
【００１１】    図４は、符号２の昇温用の機器が熱交換器である場合の平面図である。また、図５は  、図４の実施例の矢視図Ｂである。符号２ｂの熱交換器が昇温用に温水を必要とするこ  とと、電磁弁を用いていることがあり、施工時は温水の入口及び出口と、電磁弁の結線  が必要であるため、実施例１の場合と比較してやや工事の規模が大きくなる。
【産業上の利用可能性】
【００１２】  本考案は、昇温機能付ユニット式浴槽を、施工が容易で必要面積が少なく、且つ比較的安価に提供できる。また、濾過を必要としない比較的小規模な、温水を利用したユニット式プールにも応用可能である。
【図面の簡単な説明】
【００１３】
【図１】    図１は、本考案での入浴水の流れを示す断面図である。
【図２】    図２は、本考案ヒーター仕様の平面図である。
【図３】    図３は、図４の本考案の矢視図Ａである。
【図４】    図４は、本考案熱交換器仕様の平面図である。
【図５】    図５は、図４の本考案の矢視図Ｂである。
【符号の説明】
【００１４】  １．  入浴槽
２．  昇温用の機器
２ａ．ヒーター
２ｂ．熱交換器
３．  入浴水の流れ
４．  湯口
５．  排水口
６．  制御盤
７．  電源線
【図１】
0003148470.tif 000003
【図２】
0003148470.tif 000004
【図３】
0003148470.tif 000005
【図４】
0003148470.tif 000006
【図５】
0003148470.tif 000007
【手続補正書】
【提出日】平成20年11月6日(2008.11.6)
【手続補正１】
【補正対象書類名】実用新案登録請求の範囲
【補正対象項目名】全文
【補正方法】変更
【補正の内容】
【実用新案登録請求の範囲】
【請求項１】
入浴水を昇温させる装置を、浴槽の外側側面下部に入口、浴槽の外側側面上部に出口を設けるように取り付けたユニット式浴槽であって、浴槽と入浴水を昇温させる装置の間を入浴水が循環するための特別な装置を持たず、入浴水を昇温させる装置によって昇温させられた入浴水と浴槽内の入浴水との温度差によって生じる対流を利用して循環させる浴槽
【請求項２】
入浴水を昇温させる装置が熱交換器である、請求項１の浴槽
【請求項３】
入浴水を昇温させる装置がヒーターである、請求項１の浴槽
【請求項４】
入浴水を昇温させる装置を、プールの外側側面下部に入口、プールの外側側面上部に出口を設けるように取り付けたユニット式プールであって、プールと入浴水を昇温させる装置の間を入浴水が循環するための特別な装置を持たず、入浴水を昇温させる装置によって昇温させられた入浴水とプール内の入浴水との温度差によって生じる対流を利用して循環させるプール
【請求項５】
入浴水を昇温させる装置が熱交換器である、請求項４のプール
【請求項６】
入浴水を昇温させる装置がヒーターである、請求項４のプール